(57)【要約】      （修正有）【課題】金属品の持ち込みが制限されている検査室内における受検者の生体情報を非拘束で検出する生体情報検出装置を提供する。【解決手段】感圧チューブ２０は、非金属製のチューブであり、検査室Ｒ１内に配置される検査台２に設置される感圧部２１と、感圧部２１から検査室Ｒ１外へ延びる伝達部２２とを有する。検査台２に横たわる受検者Ｐの生体活動に伴う振動が感圧部２１に作用すると、感圧チューブ２０の内圧が変化する。信号検知部３１は、検査室Ｒ１外に設けられて感圧チューブ２０の伝達部２２の端部に接続され、感圧チューブ２０の内圧変化に応じたセンサ信号を出力する。信号処理部３２は、検査室Ｒ１外に設けられ、信号検知部３１からのセンサ信号に含まれる生体信号成分に基づいて受検者Ｐの生体情報を検出する。【選択図】図１
2016101353.tif 000002
【特許請求の範囲】
【請求項１】
金属品の持ち込みが制限されている検査室（R1）内における受検者（P）の生体情報を検出する装置であって、
チューブ状に形成され、上記検査室（R1）内に設けられる検査台（2）に設置される感圧部（21）と、該感圧部（21）から該検査室（R1）外へ延びる伝達部（22）とを有し、該検査台（2）に横たわる受検者（P）の生体活動に伴う振動が該感圧部（21）に作用して内圧が変化する非金属製の感圧チューブ（20）と、
上記検査室（R1）外に設けられて上記感圧チューブ（20）の伝達部（22）の端部に接続され、該感圧チューブ（20）の内圧変化に応じたセンサ信号を出力する信号検知部（31）と、
上記検査室（R1）外に設けられ、上記信号検知部（31）からのセンサ信号に含まれる上記受検者（P）の生体活動に由来する生体信号成分に基づいて該受検者（P）の生体情報を検出する信号処理部（32）とを備えている
ことを特徴とする生体情報検出装置。
【請求項２】
請求項１において、
上記感圧チューブ（20）には、気体が充填され、
上記信号検知部（31）は、上記感圧チューブ（20）に充填された上記気体の圧力変化に応じて上記センサ信号を出力するように構成されている
ことを特徴とする生体情報検出装置。
【請求項３】
請求項１において、
上記感圧チューブ（20）には、液体が充填され、
上記信号検知部（31）は、上記感圧チューブ（20）に充填された上記液体の圧力変化に応じて上記センサ信号を出力するように構成されている
ことを特徴とする生体情報検出装置。
【請求項４】
請求項１において、
上記感圧チューブ（20）の伝達部（22）の端部には、該伝達部（22）の内部を、該感圧チューブ（20）の感圧部（21）の内部と連通して液体が充填される液体室（22a）と気体が充填される気体室（22b）とに仕切る仕切膜（23）が設けられ、
上記信号検知部（31）は、上記感圧チューブ（20）の伝達部（22）の気体室（22b）に充填された上記気体の圧力変化に応じて上記センサ信号を出力するように構成されている
ことを特徴とする生体情報検出装置。
【請求項５】
請求項１において、
上記感圧チューブ（20）の伝達部（22）の端部には、該伝達部（22）の内部を、該感圧チューブ（20）の感圧部（21）の内部と連通して液体が充填される液体室（22a）と気体が充填される気体室（22b）とに仕切る仕切膜（23）が設けられ、
上記信号検知部（31）は、上記感圧チューブ（20）の伝達部（22）に設けられた上記仕切膜（23）の変形に応じて上記センサ信号を出力するように構成されている
ことを特徴とする生体情報検出装置。
【発明の詳細な説明】
【技術分野】
【０００１】
この発明は、生体情報を検出する装置に関する。
【背景技術】
【０００２】
従来、対象者の生体情報（例えば、呼吸や心拍など）を検出する生体情報検出装置が知られている。例えば、特許文献１には、被検体（ユーザ）の手首に装着されて被検体の脈拍を検出する腕時計型の脈拍計が開示されている。また、検査室内に設けられた検査装置を用いて対象者の生体検査を行うことが知られている。例えば、特許文献２には、検査室内に設けられ、被検体に高周波磁場を印加し、被検体から発せられる磁気共鳴信号を検出して被検体の医用画像を生成するＭＲＩ装置が開示されている。
【先行技術文献】
【特許文献】
【０００３】
【特許文献１】特開２０１４−１７１５１３号公報
【特許文献２】特開２０１４−１５８６２３号公報
【発明の概要】
【発明が解決しようとする課題】
【０００４】
ところで、検査室内において検査装置を用いた生体検査を受けている対象者（受検者）の体調管理や生体検査と同期した受検者の生体情報を取得するために、検査室内における受検者の生体情報を検出することが好ましい。なお、特許文献２のＭＲＩ装置のような検査装置を用いた生体検査では、検査室内への金属品の持ち込みが制限されている。しかしながら、従来では、検査室内（特に、金属品の持ち込みが制限されている検査室内）における受検者の生体情報を検出することは検討されていなかった。例えば、金属品の持ち込みが制限されている検査室内において生体検査（例えば、ＭＲＩ装置を用いた医用画像の撮影）を受けている受検者に、特許文献１の生体情報検出装置（腕時計型の脈拍計）を装着させて受検者の生体情報を検出することが考えられるが、特許文献１の生体情報検出装置には金属品が含まれているので、検査室内における生体検査を正常に行うことができなくなってしまう。
【０００５】
そこで、この発明は、金属品の持ち込みが制限されている検査室内における受検者の生体情報を非拘束で検出することが可能な生体情報検出装置を提供することを目的とする。
【課題を解決するための手段】
【０００６】
第１の発明は、金属品の持ち込みが制限されている検査室（R1）内における受検者（P）の生体情報を検出する装置であって、チューブ状に形成され、上記検査室（R1）内に設けられる検査台（2）に設置される感圧部（21）と、該感圧部（21）から該検査室（R1）外へ延びる伝達部（22）とを有し、該検査台（2）に横たわる受検者（P）の生体活動に伴う振動が該感圧部（21）に作用して内圧が変化する非金属製の感圧チューブ（20）と、上記検査室（R1）外に設けられて上記感圧チューブ（20）の伝達部（22）の端部に接続され、該感圧チューブ（20）の内圧変化に応じたセンサ信号を出力する信号検知部（31）と、上記検査室（R1）外に設けられ、上記信号検知部（31）からのセンサ信号に含まれる上記受検者（P）の生体活動に由来する生体信号成分に基づいて該受検者（P）の生体情報を検出する信号処理部（32）とを備えていることを特徴とする生体情報検出装置である。
【０００７】
上記第１の発明では、金属品の持ち込みが制限されている検査室（R1）内に非金属製の感圧チューブ（20）を配置し、信号検知部（31）および信号処理部（32）を検査室（R1）外に設けることにより、検査室（R1）内に金属品を持ち込むことなく、受検者（P）の生体活動に伴う振動に基づいて受検者（P）の生体情報を検出することができる。また、感圧チューブ（20）の感圧部（21）を検査台（2）に配置することにより、感圧チューブ（20）を受検者（P）に装着させることなく、受検者（P）の生体活動に伴う振動を感圧チューブ（20）の感圧部（21）に作用させることができる。
【０００８】
第２の発明は、上記第１の発明において、上記感圧チューブ（20）に、気体が充填され、上記信号検知部（31）が、上記感圧チューブ（20）に充填された上記気体の圧力変化に応じて上記センサ信号を出力するように構成されていることを特徴とする生体情報検出装置である。
【０００９】
上記第２の発明では、受検者（P）の生体活動に伴う振動が感圧チューブ（20）の感圧部（21）に作用すると、その振動に応じて感圧チューブ（20）に充填された気体の圧力が変化し、その結果、信号検知部（31）からのセンサ信号が変化する。
【００１０】
第３の発明は、上記第１の発明において、上記感圧チューブ（20）に、液体が充填され、上記信号検知部（31）が、上記感圧チューブ（20）に充填された上記液体の圧力変化に応じて上記センサ信号を出力するように構成されていることを特徴とする生体情報検出装置である。
【００１１】
上記第３の発明では、受検者（P）の生体活動に伴う振動が感圧チューブ（20）の感圧部（21）に作用すると、その振動に応じて感圧チューブ（20）に充填された液体の圧力が変化し、その結果、信号検知部（31）からのセンサ信号が変化する。また、感圧チューブ（20）に液体を充填することにより、感圧チューブ（20）に気体が充填されている場合よりも、感圧チューブ（20）における圧力変化の減衰を抑制することができる。
【００１２】
第４の発明は、上記第１の発明において、上記感圧チューブ（20）の伝達部（22）の端部に、該伝達部（22）の内部を、該感圧チューブ（20）の感圧部（21）の内部と連通して液体が充填される液体室（22a）と気体が充填される気体室（22b）とに仕切る仕切膜（23）が設けられ、上記信号検知部（31）が、上記感圧チューブ（20）の伝達部（22）の気体室（22b）に充填された上記気体の圧力変化に応じて上記センサ信号を出力するように構成されていることを特徴とする生体情報検出装置である。
【００１３】
上記第４の発明では、受検者（P）の生体活動に伴う振動が感圧チューブ（20）の感圧部（21）に作用すると、その振動に応じて感圧チューブ（20）の液体室（具体的には、感圧部（21）の内部と伝達部（22）の液体室（22a））に充填された液体の圧力が変化し、その液体の圧力変化が仕切膜（23）を介して感圧チューブ（20）の気体室（具体的には、伝達部（22）の気体室（22b））に伝達されて感圧チューブ（20）の気体室（22b）に充填された気体の圧力が変化し、その結果、信号検知部（31）からのセンサ信号が変化する。また、感圧チューブ（20）の液体室に液体を充填することにより、感圧チューブ（20）の全体に亘って気体が充填されている場合よりも、感圧チューブ（20）における圧力変化の減衰を抑制することができる。
【００１４】
第５の発明は、上記第１の発明において、上記感圧チューブ（20）の伝達部（22）の端部に、該伝達部（22）の内部を、該感圧チューブ（20）の感圧部（21）の内部と連通して液体が充填される液体室（22a）と気体が充填される気体室（22b）とに仕切る仕切膜（23）が設けられ、上記信号検知部（31）が、上記感圧チューブ（20）の伝達部（22）に設けられた上記仕切膜（23）の変形に応じて上記センサ信号を出力するように構成されていることを特徴とする生体情報検出装置である。
【００１５】
上記第５の発明では、受検者（P）の生体活動に伴う振動が感圧チューブ（20）の感圧部（21）に作用すると、その振動に応じて感圧チューブ（20）の液体室（具体的には、感圧部（21）の内部と伝達部（22）の液体室（22a））に充填された液体の圧力が変化し、その液体の圧力変化が仕切膜（23）に伝達されて仕切膜（23）が変形し、その結果、信号検知部（31）からのセンサ信号が変化する。また、感圧チューブ（20）の液体室に液体を充填することにより、感圧チューブ（20）の全体に亘って気体が充填されている場合よりも、感圧チューブ（20）における圧力変化の減衰を抑制することができる。
【発明の効果】
【００１６】
第１の発明によれば、金属品の持ち込みが制限されている検査室（R1）内における受検者（P）の生体情報を非拘束で検出することができる。
【００１７】
第２の発明によれば、受検者（P）の生体活動に伴う振動が感圧チューブ（20）の感圧部（21）に作用すると、その振動に応じて感圧チューブ（20）に充填された気体の圧力が変化し、その結果、信号検知部（31）からのセンサ信号が変化するので、受検者（P）の生体活動に伴う振動に応じたセンサ信号を出力することができる。
【００１８】
第３の発明によれば、受検者（P）の生体活動に伴う振動に応じたセンサ信号を出力することができる。また、感圧チューブ（20）における圧力変化の減衰を抑制することができるので、センサ信号の精度を向上させることができる。
【００１９】
第４の発明によれば、受検者（P）の生体活動に伴う振動に応じたセンサ信号を出力することができる。また、感圧チューブ（20）における圧力変化の減衰を抑制することができるので、センサ信号の精度を向上させることができる。
【００２０】
第５の発明によれば、受検者（P）の生体活動に伴う振動に応じたセンサ信号を出力することができる。また、感圧チューブ（20）における圧力変化の減衰を抑制することができるので、センサ信号の精度を向上させることができる。
【図面の簡単な説明】
【００２１】
【図１】図１は、実施形態による検査システムの構成例を示す概略図である。
【図２】図２は、生体情報検出装置の構成例を示す概略図である。
【図３】図３は、生体情報検出装置の変形例１を示す概略図である。
【図４】図４は、生体情報検出装置の変形例２を示す概略図である。
【図５】図５は、生体情報検出装置の変形例３を示す概略図である。
【発明を実施するための形態】
【００２２】
以下、実施の形態を図面を参照して詳しく説明する。なお、図中同一または相当部分には同一の符号を付しその説明は繰り返さない。
【００２３】
（検査システム）
図１は、実施形態による検査システム（1）の構成例を示している。検査システム（1）は、患者などの受検者（P）の生体検査および生体情報（例えば、受検者（P）の呼吸や心拍などの生体活動に関する情報）の検出を行うためのシステムであり、検査台（2）と検査装置（3）と情報処理装置（4）と生体情報検出装置（10）とを備えている。検査台（2）と検査装置（3）は、検査室（R1）内に配置され、情報処理装置（4）は、検査室（R1）外に設けられた操作室（R2）内に配置されている。なお、検査室（R1）内では、金属品の持ち込みが制限されている。
【００２４】
〔検査台と検査装置〕
検査台（2）は、その上部に受検者（P）が横たわることができるように構成されている。検査装置（3）は、情報処理装置（4）による制御に応答して検査台（2）に横たわる受検者（P）に対して所定の検査処理を行い、検査結果を示した検査情報を情報処理装置（4）へ送信するように構成されている。
【００２５】
この例では、検査装置（3）は、その軸心が水平方向を向く筒状（円筒状）に形成され、検査台（2）は、その上部が受検者（P）を載せた状態で検査装置（3）内に移動（スライド）することができるように構成されている。そして、受検者（P）を載せた検査台（2）の上部が検査装置（3）内に移動した後に、検査装置（3）内において検査処理が行われる。具体的には、この例では、検査装置（3）は、磁場や放射線などの電磁エネルギを利用して受検者（P）の医用画像を撮影する医用画像撮影装置によって構成されている。医用画像撮影装置の例として、ＭＲＩ（Magnetic Resonance Imaging：核磁気共鳴映像法）装置や、ＣＴ（Computed Tomography：コンピュータ断層撮影）装置などが挙げられる。なお、このような検査装置（医用画像撮影装置）では、検査（撮影）の対象となる受検者（P）が金属品を装着している場合、その受検者（P）の検査（医用画像の撮影）を正常に行うことができないおそれがある。そのため、検査室（R1）内では、金属品の持ち込みが制限されている。
【００２６】
〔情報処理装置〕
情報処理装置（4）は、検査技師などの操作者（Q）による操作に応答して検査装置（3）の動作を制御するように構成されている。また、情報処理装置（4）は、検査装置（3）および生体情報検出装置（10）からの情報を処理して表示するように構成されている。例えば、情報処理装置（4）は、入力部（キーボードやマウスやタッチパネルなど），出力部（表示パネルやスピーカなど），演算部（ＣＰＵなど），記憶部（ＣＰＵを動作させるためのプログラムを格納するメモリなど）などを備えた電子計算機によって構成されている。
【００２７】
〔生体情報検出装置〕
生体情報検出装置（10）は、非金属製の感圧チューブ（20）と、センサユニット（30）とを備えている。
【００２８】
〈感圧チューブ〉
感圧チューブ（20）は、チューブ状に形成され、感圧部（21）と伝達部（22）とを有している。感圧部（21）は、検査室（R1）内に設けられる検査台（2）に設置されている。伝達部（22）は、感圧部（21）から検査室（R1）外（この例では、操作室（R2）内）へ延びている。また、感圧チューブ（20）は、検査台（2）に横たわる受検者（P）の生体活動（例えば、呼吸や心拍など）に伴う振動が感圧部（21）に作用して内圧が変化するように構成されている。この例では、図１および図２に示すように、感圧部（21）は、検査台（2）に横たわる受検者（P）の胸部の下に位置するように検査台（2）の上部に配置され、検査台（2）の幅方向に沿って延びている。また、感圧チューブ（20）は、内径が約４ｍｍの樹脂製（例えば、塩化ビニル製）のチューブによって構成され、その一端（感圧部（21）側）が封止部（図示を省略）によって閉塞され、その他端（伝達部（22）側）がセンサユニット（30）に接続されている。
【００２９】
〈センサユニット〉
センサユニット（30）は、検査室（R1）外（この例では、操作室（R2）内）に設けられ、信号検知部（31）と信号処理部（32）と記憶部（33）とインターフェイス部（34）とを備えている。
【００３０】
《信号検知部》
信号検知部（31）は、感圧チューブ（20）の伝達部（22）の端部に接続され、感圧チューブ（20）の内圧変化に応じたセンサ信号を出力するように構成されている。受検者（P）の生体活動に伴う振動が感圧チューブ（20）の感圧部（21）に作用すると、その振動により感圧チューブ（20）の内圧が変化し、その結果、信号検知部（31）からのセンサ信号が変化する。これにより、受検者（P）の生体活動に由来する生体信号成分がセンサ信号に重畳される。
【００３１】
《信号処理部》
信号処理部（32）は、信号検知部（31）からのセンサ信号に含まれる生体信号成分（受検者（P）の生体活動に由来する信号成分）に基づいて、受検者（P）の生体情報を検出するように構成されている。具体的には、信号処理部（32）は、センサ信号の中から受検者（P）の心拍に由来する心拍信号成分（例えば、通常の心拍の回数である４０〜１２０拍／分に相当する信号成分）を抽出し、心拍信号成分に基づいて受検者（P）の心拍に関する心拍情報（例えば、受検者（P）の実際の心拍の波形（振幅および周期）や心拍数などを示した情報）を生成してもよい。また、信号処理部（32）は、センサ信号の中から受検者（P）の呼吸に由来する呼吸信号成分（例えば、通常の呼吸の回数である１２〜３０回／分に相当する信号成分）を抽出し、呼吸信号成分に基づいて受検者（P）の呼吸に関する呼吸情報（例えば、受検者（P）の呼吸の波形（振幅および周期）や呼吸数などを示した情報）を生成してもよい。
【００３２】
また、信号処理部（32）は、情報処理装置（4）と通信可能に構成されている。具体的には、信号処理部（32）は、受検者（P）の生体情報を情報処理装置（4）へ送信するように構成されている。例えば、信号処理部（32）は、ＣＰＵやメモリ（ＣＰＵを動作させるためのプログラムを格納するメモリ）などによって構成されている。
【００３３】
《記憶部》
記憶部（33）は、信号処理部（32）によって検出された生体情報を格納する。記憶部（33）に格納された生体情報は、信号処理部（32）により情報処理装置（4）へ送信される。例えば、記憶部（33）は、メモリによって構成されている。
【００３４】
《インターフェイス部》
インターフェイス部（34）は、信号処理部（32）と情報処理装置（4）との間の通信（信号の送受）を中継するように構成されている。なお、インターフェイス部（34）と情報処理装置（4）との間の通信は、ＵＳＢケーブルなどの通信ケーブルを利用した有線通信であってもよいし、ＷｉＦｉなどの無線通信規格に準拠した無線通信であってもよい。
【００３５】
〈感圧チューブと信号検知部の詳細〉
この例では、感圧チューブ（20）には、気体（例えば、空気）が充填されている。信号検知部（31）は、感圧チューブ（20）に充填された気体の圧力変化に応じてセンサ信号を出力するように構成されている。例えば、信号検知部（31）は、気体の圧力変化を電気信号（センサ信号）に変換するマイクロフォン（空気圧センサ）によって構成されている。
【００３６】
受検者（P）の生体活動に伴う振動が感圧チューブ（20）の感圧部（21）に作用すると、その振動に応じて感圧チューブ（20）に充填された気体の圧力が変化し、その結果、信号検知部（31）からのセンサ信号が変化する。これにより、受検者（P）の生体活動に伴う振動に応じたセンサ信号を出力することができる。
【００３７】
〔実施形態による効果〕
以上のように、金属品の持ち込みが制限されている検査室（R1）内に非金属製の感圧チューブ（20）を配置し、信号検知部（31）および信号処理部（32）を検査室（R1）外に設けることにより、検査室（R1）内に金属品を持ち込むことなく、受検者（P）の生体活動に伴う振動に基づいて受検者（P）の生体情報を検出することができる。また、感圧チューブ（20）の感圧部（21）を検査台（2）に配置することにより、感圧チューブ（20）を受検者（P）に装着させることなく、受検者（P）の生体活動に伴う振動を感圧チューブ（20）の感圧部（21）に作用させることができる。このように、金属品の持ち込みが制限されている検査室（R1）内における受検者（P）の生体情報を非拘束で検出することができる。
【００３８】
また、検査室（R1）内における受検者（P）の生体情報を非拘束で検出することができるので、検査室（R1）内で行われる受検者（P）の生体検査（例えば、医用画像撮影装置を用いた医用画像の撮影）の邪魔になりにくい。そのため、検査室（R1）内で行われる受検者（P）の生体検査を正確に行うことができる。
【００３９】
なお、この例では、感圧チューブ（20）は、その一端（感圧部（21）側）が封止部（図示を省略）によって閉塞されていなくてもよい。すなわち、感圧チューブ（20）は、その一端（感圧部（21）側）が開放されていてもよい。このように構成した場合も、感圧チューブ（20）に気体（具体的には、空気）が充填されていることになるので、信号検知部（31）は、感圧チューブ（20）の内圧変化（動圧）に応じたセンサ信号を出力することが可能である。
【００４０】
（実施形態の変形例１）
図３に示すように、感圧チューブ（20）には、液体（例えば、水）が充填されていてもよい。この例では、信号検知部（31）は、感圧チューブ（20）に充填された気体の圧力変化に応じてセンサ信号を出力するように構成されている。例えば、信号検知部（31）は、液体の圧力変化を電気信号（センサ信号）に変換するハイドロフォン（水圧センサ）によって構成されている。
【００４１】
この例では、受検者（P）の生体活動に伴う振動が感圧チューブ（20）の感圧部（21）に作用すると、その振動に応じて感圧チューブ（20）に充填された液体の圧力が変化し、その結果、信号検知部（31）からのセンサ信号が変化する。これにより、受検者（P）の生体活動に伴う振動に応じたセンサ信号を出力することができる。
【００４２】
また、感圧チューブ（20）に液体を充填することにより、感圧チューブ（20）に気体が充填されている場合よりも、感圧チューブ（20）における圧力変化の減衰を抑制することができる。これにより、センサ信号の精度を向上させることができ、受検者（P）の生体情報の検出精度を向上させることができる。
【００４３】
（実施形態の変形例２）
図４に示すように、感圧チューブ（20）の伝達部（22）の端部には、伝達部（22）の内部を液体室（22a）と気体室（22b）とに仕切る仕切膜（23）が設けられていてもよい。この例では、感圧チューブ（20）の伝達部（22）の液体室（22a）は、感圧チューブ（20）の感圧部（21）の内部と連通している。そして、感圧部（21）の内部と液体室（22a）には、液体（例えば、水）が充填され、気体室（22b）には、気体（例えば、空気）が充填されている。信号検知部（31）は、感圧チューブ（20）の伝達部（22）の気体室（22b）に充填された気体の圧力変化に応じてセンサ信号を出力するように構成されている。例えば、信号検知部（31）は、気体の圧力変化を電気信号（センサ信号）に変換するマイクロフォン（空気圧センサ）によって構成されている。
【００４４】
この例では、受検者（P）の生体活動に伴う振動が感圧チューブ（20）の感圧部（21）に作用すると、その振動に応じて感圧チューブ（20）の液体室（具体的には、感圧部（21）の内部と伝達部（22）の液体室（22a））に充填された液体の圧力が変化し、その液体の圧力変化が仕切膜（23）を介して感圧チューブ（20）の気体室（具体的には、伝達部（22）の気体室（22b））に伝達されて感圧チューブ（20）の気体室（22b）に充填された気体の圧力が変化し、その結果、信号検知部（31）からのセンサ信号が変化する。これにより、受検者（P）の生体活動に伴う振動に応じたセンサ信号を出力することができる。
【００４５】
また、感圧チューブ（20）の液体室に液体を充填することにより、感圧チューブ（20）の全体に亘って気体が充填されている場合よりも、感圧チューブ（20）における圧力変化の減衰を抑制することができる。これにより、センサ信号の精度を向上させることができ、受検者（P）の生体情報の検出精度を向上させることができる。
【００４６】
（実施形態の変形例３）
図５に示すように、感圧チューブ（20）の伝達部（22）の端部には、伝達部（22）の内部を液体室（22a）と気体室（22b）とに仕切る仕切膜（23）が設けられていてもよい。この例では、感圧チューブ（20）の伝達部（22）の液体室（22a）は、感圧チューブ（20）の感圧部（21）の内部と連通している。そして、感圧部（21）の内部と液体室（22a）には、液体（例えば、水）が充填され、気体室（22b）には、気体（例えば、空気）が充填されている。信号検知部（31）は、感圧チューブ（20）の伝達部（22）に設けられた仕切膜（23）の変形に応じてセンサ信号を出力するように構成されている。例えば、信号検知部（31）は、仕切膜（23）の歪みを電気信号（センサ信号）に変換する歪みゲージによって構成されている。
【００４７】
この例では、受検者（P）の生体活動に伴う振動が感圧チューブ（20）の感圧部（21）に作用すると、その振動に応じて感圧チューブ（20）の液体室（具体的には、感圧部（21）の内部と伝達部（22）の液体室（22a））に充填された液体の圧力が変化し、その液体の圧力変化が仕切膜（23）に伝達されて仕切膜（23）が変形し、その結果、信号検知部（31）からのセンサ信号が変化する。これにより、受検者（P）の生体活動に伴う振動に応じたセンサ信号を出力することができる。
【００４８】
また、感圧チューブ（20）の液体室に液体を充填することにより、感圧チューブ（20）の全体に亘って気体が充填されている場合よりも、感圧チューブ（20）における圧力変化の減衰を抑制することができる。これにより、センサ信号の精度を向上させることができ、受検者（P）の生体情報の検出精度を向上させることができる。
【００４９】
（その他の実施形態）
以上の説明では、信号処理部（32）がセンサユニット（30）に設けられている場合を例に挙げたが、信号処理部（32）は、情報処理装置（4）に設けられていてもよい。例えば、信号処理部（32）は、情報処理装置（4）に設けられたＣＰＵやメモリ（ＣＰＵを動作させるためのプログラムを格納するメモリ）などによって構成されていてもよい。すなわち、信号処理部（32）は、センサユニット（30）の機能の一部であってもよいし、情報処理装置（4）の機能の一部であってもよいし、その他の情報端末の機能の一部であってもよい。
【００５０】
また、以上の実施形態を適宜組み合わせて実施してもよい。以上の実施形態は、本質的に好ましい例示であって、この発明、その適用物、あるいはその用途の範囲を制限することを意図するものではない。
【産業上の利用可能性】
【００５１】
以上説明したように、上述の生体情報検出装置は、検査室内における受検者の生体情報を検出する装置として有用である。
【符号の説明】
【００５２】
１            検査システム
２            検査台
３            検査装置
４            情報処理装置
１０          生体情報検出装置
２０          感圧チューブ
２１          感圧部
２２          伝達部
２２ａ        液体室
２２ｂ        気体室
２３          仕切膜
３０          センサユニット
３１          信号検知部
３２          信号処理部
３３          記憶部
３４          インターフェイス部
Ｐ            受検者
Ｑ            操作者
Ｒ１          検査室
Ｒ２          操作室
【図１】
2016101353.tif 000003
【図２】
2016101353.tif 000004
【図３】
2016101353.tif 000005
【図４】
2016101353.tif 000006
【図５】
2016101353.tif 000007